(57)【要約】  【課題】  分析ディスク中の検体の温度を一定に保つ温度制御機能を有する分析装置を提供する。  【解決手段】  ヒータ５、ヒートシンク１６、ファン１７により構成されるヒータユニットから吹き出される温風は、矢印で示すように、分析用ディスクの外周側からトレイの分析用ディスク載置面に向かって流れ、トレイ傾斜面に沿って、流れの方向を分析用ディスクの側面方向へと変え、温風の一方は、トレイ前方の傾斜を通り分析用ディスクの裏面側へ、一方は分析ディスクの表面側へと流れる。【選択図】  図１
2006300802.tif 000002
【特許請求の範囲】
【請求項１】
容器内に設置されたディスクの内部に収容された検体を前記ディスクを回転させて分析する分析装置において、前記容器内に空気を吸入する吸気口と、前記吸気口から吸入される空気が流れる前記ディスク上側の第１流路と、前記吸気口から吸入される空気が流れる前記ディスク下側の第２流路と、前記第１流路を流れる空気と前記第２流路を流れる空気とを前記容器外に排出する排気口と、を備えてなる、ことを特徴とする分析装置。
【請求項２】
前記吸気口または前記排気口、が前記容器の前記ディスクの外周部に対向する位置に設けられてなる、ことを特徴とする請求項１に記載の分析装置。
【請求項３】
前記吸気口が、前記第１流路を流れる空気が吸入される第１の吸気口と、前記第２流路を流れる空気が吸入される第２の吸気口と、を備えてなる、ことを特徴とする請求項２記載の分析装置。
【請求項４】
前記吸気口または前記排気口が、前記ディスクを前記容器内に搬送するトレイのディスク載置面に形成されてなる、ことを特徴とする請求項２または請求項３に記載の分析装置。
【請求項５】
前記吸気口から前記ディスクの中心方向へと空気を案内する傾斜が前記トレイに設けられてなる、ことを特徴とする請求項４に記載の分析装置。
【請求項６】
前記分析装置の前記ディスク挿入口に近い位置に設けられた前記排気口と、前記分析装置の前記ディスク挿入口から遠い位置に設けられた前記吸気口とを、前記ディスクに対して同一面側に、備えてなる、ことを特徴とする請求項２乃至請求項５のいずれかに記載の分析装置。
【請求項７】
前記分析装置の前記ディスク挿入口に近い位置に設けられた前記吸気口と、前記分析装置の前記ディスク挿入口から遠い位置に設けられた前記排気口とを、前記ディスクに対して同一面側に、備えてなる、ことを特徴とする請求項２乃至請求項５のいずれかに記載の分析装置。
【請求項８】
前記吸気口がディスクの中心に対向する位置に設けられてなる、ことを特徴とする請求項１に記載の分析装置。
【請求項９】
回転する前記ディスクが載置されるターンテーブルに前記ディスク表面側から前記ディスク裏面側に貫通する通気孔が設けられてなる、ことを特徴とする請求項８に記載の分析装置。
【請求項１０】
前記通気孔の流路断面を形成する部材の形状が羽根車形状を形成してなる、ことを特徴とする請求項９に記載の分析装置。
【請求項１１】
前記ディスクに前記ディスク上側から前記ディスク下側に貫通する通気孔が設けられてなる、ことを特徴とする請求項８に記載の分析装置。
【発明の詳細な説明】
【技術分野】
【０００１】
本発明は、内部に形成された流路に液体試料が注入されたディスクを回転させ、この液体試料の成分を光学的手段を用いて分析する分析装置に関し、より詳細には、ディスクに注入した液体試料の温度を分析装置内で一定に保つための温度調整技術に関する。
【背景技術】
【０００２】
図１２を用いて、従来の分析用ディスクを用いた分析装置について説明する。
【０００３】
図１２は、従来の分析用ディスクを用いた分析装置の構成図であり、分析用ディスク１が分析装置内にセッティングされた後の状態を示している。
【０００４】
分析用ディスク１は、半反射膜を有する透明なディスクであり、分析用ディスク１に光ピックアップ２からレーザを照射することで、反射光を光ピックアップ２で、透過光を分析用ディスク１上部に配置されたディテクタ３で検出できるようになっている。
【０００５】
前記半反射膜には通常の光ディスクと同様に、暗号情報が記録されており、また、分析用ディスク１内部の流路１０１には、液体試料が展開されている。
【０００６】
分析装置には、分析用ディスク１を回転させるためのモータ４が取り付けられ、また、光ピックアップ２は分析用ディスクの半径方向に駆動可能に取り付けられている。
【０００７】
分析用ディスク１内部の液体試料は、分析用ディスク１をモータ４で回転させ、遠心分離作用にて分析に必要な成分の抽出を行う。
【０００８】
その後、抽出した成分を遠心力や、毛細管現象を駆使しながら分析領域へと運び、光ピックアップ２で照射したレーザの反射光の検出によって得られた暗号化された位置情報を参照して分析領域を検出可能な位置へと移動させ、分析領域を透過した透過光をディテクタ３にて検出することで分析を行っている（例えば、特許文献１）。
【０００９】
前記分析方法にて分析を行うものの中に、液体試料と試薬を混合し、その化学反応の過程で生じる呈色反応を光ピックアップ２から照射するレーザと透過光を受光するディテクタ３にて検出し、液体試料中の分析を行う方法がある。
【００１０】
この分析では、化学反応の速度が温度に依存する場合があり、混合時の試薬と液体試料の温度を一定に保つことが重要となる。
【００１１】
例えば、試薬と液体試料とが混合した後、化学反応中に周囲温度が変化し、混合された液体の温度がばらつくと、反応速度にばらつきが生じることとなり、化学変化を正確に捉えることができない。
【００１２】
そこで、従来の分析装置においては、温度を一定の温度に保つために加熱手段を備えた構成が提案されている（例えば、特許文献２参照）。
【００１３】
特許文献２に記載されている分析装置の加熱手段について、図１３を用いて説明する。
【００１４】
図１３は従来の分析装置の加熱手段を示した構成図である。
【００１５】
図１３（ｂ）において、加熱手段であるヒータ５と、ヒータ５によって加熱される恒温ブロック６は、ベース７に取り付けられている。
【００１６】
一方、液体試料は、分析用容器８に入れられ、回転テーブル９に取り付けられる。
【００１７】
分析用容器８の高さは回転テーブル９よりも高く、回転テーブル９に取り付けた際、分析用容器８が下方向に出っ張った形となる。
【００１８】
恒温ブロック６には、円筒状の分析用容器挿入穴６０１が設けられており、分析容器挿入穴６０１に分析用容器８の出っ張った箇所が収まるようになっている。
【００１９】
分析中、回転テーブル９は回転するので、分析用容器８も分析用容器挿入穴６０１内を図１３（ａ）の矢印に示す方向に回転する。
【００２０】
分析用容器挿入穴６０１には、光検出器１０が設けられており、光検出器を分析用容器が横切った際、吸光量、散乱光量などを検出することで液体試料の分析が行われることとなる。
【００２１】
以上のように構成される分析装置において、液体試料の温度調整は、恒温ブロック６の温度を調整することにより行われる。
【００２２】
恒温ブロック全体の温度が一定となれば、分析用容器挿入穴６０１内の空気の温度も同じ温度となり、分析用容器挿入穴６０１内を移動する分析用容器内の液体試料の温度も馴染んで同じ温度となる。
【００２３】
別の加熱手段としては、温風を発生させるヒータユニットをディスク表面に配置し、ディスク表面に対して温風を吹き付ける構成が考えられる。
【００２４】
従来の方法としては、分析装置ではないが、２枚の円盤の貼り合わせからなる光ディスクの成形後の貼り合わせにおける出来上がり寸法精度を向上させるため、成形後、光ディスクに対して、温風を吹き付けながら徐冷することにより、大気温までの基板の温度降下を緩やかに作用させたものがある（例えば、特許文献３参照）。
【特許文献１】特許第３３６４７１９号公報
【特許文献２】特開２００４−１０１２９２号公報
【特許文献３】特開２００１−０５２３７９号公報
【発明の開示】
【発明が解決しようとする課題】
【００２５】
しかしながら、特許文献２記載の分析装置にあるような加熱手段を特許文献１記載の分析装置に適用する場合、適用例としては、分析用ディスク表裏面に対して近接する位置に恒温ブロックを設け、恒温ブロックにより挟まれた領域の温度を一定にするといった構成が考えられるが、光ピックアップ２や、ディテクタ３など、分析用ディスク１に近接した位置に部品が多く、恒温ブロック６の設置できる領域は限られてしまう。
【００２６】
そのため、分析用ディスク１の周辺温度について、恒温ブロックが配置されている箇所とされていない箇所で空気温度にムラが生じてしまう。
【００２７】
温度制御時の温度検出に接触式の温度センサーを使用する場合、恒温ブロックの温度もしくは空気の温度を検出することになるが、恒温ブロックの温度を検出して、制御を行う場合、恒温ブロックの温度は一定になるが、空気温度にはムラがあるため、恒温ブロックの温度と液体試料の温度は同じにならず、制御が困難である。
【００２８】
また、空気の温度を検出して、制御を行う場合についても、検出した位置の空気の温度と液体試料の温度は同じにならず、制御が困難である。
【００２９】
温度制御時の温度検出に非接触温度センサーを使用する場合、検出したい半径上の分析用ディスク表面温度を検出して温度制御することが出来るが、毛細管現象を利用して液体試料を移送する場合、遠心力などの余計な力が液体試料にかかるのを避けるため、分析の途中で分析用ディスクの回転を停止する場合があり、分析用ディスク回転停止時に、周囲温度ムラが影響して、分析用ディスク表面温度にもムラが発生してしまう。
【００３０】
また、特許文献３記載の装置における温度制御手段を設ける場合、ディスク単品に対しては容易に実施できるが、分析装置内に設けた場合、分析に必要な駆動系、光学系の配置により、温風を吹き付ける場所が限定されてしまう。
【００３１】
特に、分析用ディスク裏面側への加熱手段の配置は、光ピックアップ２が、ディスク面に焦点を合わせるためディスク面に近接した位置に配置され、また、分析用ディスク搬送用のトレイも設けられているため、困難である。
【００３２】
分析用ディスク回転のためのモータや光ピックアップなどの発熱部品は分析用ディスク裏面側に集中しており、裏面側に空気の流れが無いと、局所的に発生した熱がその位置で留まることになり、分析用ディスクの表裏面の温度ばらつきの原因となる。
【課題を解決するための手段】
【００３３】
上記従来の課題を解決するために、本発明の分析装置は、容器内に設置されたディスクの内部に収容された検体を前記ディスクを回転させて分析する分析装置において、前記容器内に空気を吸入する吸気口と、前記吸気口から吸入される空気が流れる前記ディスク上側の第１流路と、前記吸気口から吸入される空気が流れる前記ディスク下側の第２流路と、前記第１流路を流れる空気と前記第２流路を流れる空気とを前記容器外に排出する排気口と、を備えてなる、ことを特徴とする。
【００３４】
さらに、前記吸気口または前記排気口、が前記容器の前記ディスクの外周部に対向する位置に設けられてなる、ことを特徴とする。
【００３５】
さらに、前記吸気口が、前記第１流路を流れる空気が吸入される第１の吸気口と、前記第２流路を流れる空気が吸入される第２の吸気口と、を備えてなる、ことを特徴とする。
【００３６】
さらに、前記吸気口または前記排気口が、前記ディスクを前記容器内に搬送するトレイのディスク載置面に形成されてなる、ことを特徴とする。
【００３７】
さらに、前記吸気口から前記ディスクの中心方向へと空気を案内する傾斜が前記トレイに設けられてなる、ことを特徴とする。
【００３８】
さらに、前記分析装置の前記ディスク挿入口に近い位置に設けられた前記排気口と、前記分析装置の前記ディスク挿入口から遠い位置に設けられた前記吸気口とを、前記ディスクに対して同一面側に、備えてなる、ことを特徴とする。
【００３９】
さらに、前記分析装置の前記ディスク挿入口に近い位置に設けられた前記吸気口と、前記分析装置の前記ディスク挿入口から遠い位置に設けられた前記排気口とを、前記ディスクに対して同一面側に、備えてなる、ことを特徴とする。
【００４０】
さらに、前記吸気口がディスクの中心に対向する位置に設けられてなる、ことを特徴とする。
【００４１】
さらに、回転する前記ディスクが載置されるターンテーブルに前記ディスク表面側から前記ディスク裏面側に貫通する通気孔が設けられてなる、ことを特徴とする。
【００４２】
さらに、前記通気孔の流路断面を形成する部材の形状が羽根車形状を形成してなる、ことを特徴とする。
【００４３】
さらに、前記ディスクに前記ディスク上側から前記ディスク下側に貫通する通気孔が設けられてなる、ことを特徴とする。
【発明の効果】
【００４４】
本発明の分析装置によれば、分析用ディスクの裏面にも温風が流れる構成となり、分析用ディスク表面側と裏面側で空気温度に差がなくなり、精度よく分析用ディスク内の液体試料の温度を制御することができる。
【発明を実施するための最良の形態】
【００４５】
以下に、本発明の分析装置について、その実施の形態を図面とともに詳細に説明する。
【００４６】
（実施の形態１）
図１〜図４を用いて本発明の実施の形態１に係る分析装置について説明する。
【００４７】
まず、分析装置の全体の構成について説明する。
【００４８】
図１は、分析用ディスクを装着した状態における分析装置のうち、分析用ディスクの回転機構、光学的読み取り機構、ヒータユニット、トレイの部分について抽出した分析装置の構成図である。
【００４９】
図１において、トラバースベース１１には、分析用ディスク１を載置し回転させるためのターンテーブル１２を有したモータ４が取り付けられ、また、レーザおよびレンズ等の光学系を備えた光ピックアップ２がレール１３を介して取付けられている。
【００５０】
光ピックアップ２はトラバースモータを含む駆動系により分析用ディスク１の半径方向に駆動可能になっている。
【００５１】
分析用ディスク１は、ポリカーボネートと金属薄膜により構成され、光ピックアップで読み取り可能な情報が記録された基盤ディスク、注入口の形成された上カバー、上カバーと基盤ディスクの接着および流路の形成を目的とした接着層、により構成される。
【００５２】
分析用ディスク１が分析装置内にセッティングされるまでの操作手順としては、まず特定の注入用器具或いは注射器等を用いて分析用ディスク１上の注入口から液体試料を一定量注入する。
【００５３】
そして、次に、図２に示すように、分析装置内の分析用ディスク搬送用トレイ１４を開き、分析用ディスク搬送用トレイ１４上に分析用ディスク１を載置し、分析用ディスク搬送用トレイ１４を閉じる。
【００５４】
分析用ディスク搬送用トレイ１４は分析装置内部へ移動し、それと同時に分析用ディスク１が分析装置内部へ搬送される。
【００５５】
分析装置内部へ搬送された分析ディスク１は、図１に示すターンテーブル１２によって位置決めされ、磁石を備えたクランパ１５と磁性部材を備えたターンテーブル１２との磁気力にて狭持され、モータ４による駆動力によりディスク径の中心を軸に回転可能となる。
【００５６】
以後、分析用ディスク１を回転させ、液体試料内の必要な成分を遠心分離作用にて抽出した後、抽出した成分を遠心力や、毛細管現象を駆使しながら分析領域へと運ぶ。
【００５７】
そして、光ピックアップ２をレーザの反射光の検出によって得られた暗号化された位置情報を参照して分析領域を検出可能な位置へと移動し、レーザの透過光を分析用ディスク１上部に配置されたディテクタ３で検出することで、抽出した成分と試薬の混合による呈色反応を分析する。
【００５８】
次に、本分析装置の温度制御について説明する。
【００５９】
抽出した成分と試薬との呈色反応は、周囲温度によって反応速度が変わってくるため、遅くとも抽出した成分と試薬の混合前に温度を一定に保っておかなければならない。
【００６０】
本分析装置においては、分析用ディスク１を分析装置内に搬送後、分析用ディスク回転時に温度制御が開始される。
【００６１】
本分析装置における温度制御は、主要な構成として、ヒータ５、ヒートシンク１６、ファン１７により構成されるヒータユニットにより行われ、ヒータ５に電圧をかけるとヒートシンク１６に熱が伝わり、ヒートシンク１６にファン１７からの強制対流を吹き付けることによってヒートシンク１６の熱が温風となる構造になっている。
【００６２】
ヒートシンク１６にはアルミ、銅など熱伝導性の良い材料を用い、ヒータ５は、ヒートシンク１６に熱を伝えるためのものであるから熱容量の少ない、ポリイミドヒータなどの面状発熱体を用いると良い。
【００６３】
ヒータユニットで発生した温風は吹き出し口から吹き出され、分析用ディスク１が回転している部屋へと送られ、分析用ディスク１の温度を一定に保つために使われる。
【００６４】
吹き出し口１８は、装置前方側に配置されており、図３に示すように、分析用ディスク１の外周側の温風が直接当たらない位置に配置されている。
【００６５】
図４は、トレイの形状を説明した斜視図であり、（ａ）は、トレイのみを示し、（ｂ）は、吹き出し口１８の位置を示し、また、ディスクが装着された状態についても示している。
【００６６】
分析用ディスクの挿入・排出のためのトレイには前方に図４（ａ）のＡ部に示すような傾斜、後方に図４（ａ）のＢ部に示すような壁が構成されており、前方の傾斜は、傾斜の頂点がディスクの中心になるように構成され、後方の壁は、ファンの吸い込み口よりも外側になるように設けられている。
【００６７】
図３に示すように、ファン１７には吸気面と吹き出し口が垂直方向となるファンを用い、装置後部側で、点線で示す分析用ディスクの最外周の位置にファンの中心がかかる位置に、吸気面が分析用ディスク１側、排気面がヒートシンク１６側に向けられた方向で２個配置している。
【００６８】
このように構成される分析装置において、ヒータユニットから吹き出される温風は、図１の矢印で示すように、分析用ディスクの外周側からトレイの分析用ディスク載置面に向かって流れ、トレイ傾斜面に沿って、流れの方向を分析用ディスクの側面方向へと変え、温風の一方は、トレイ前方の傾斜を通り分析用ディスクの裏面側へ、一方は分析ディスクの表面側へと流れる。
【００６９】
分析用ディスクの裏面側を通る温風は、図４のＢ部の位置でトレイ後方の壁に沿って方向を変え、ファン１７の吸い込み口で吸い込まれ、分析用ディスク表面を通る温風についてもファン１７付近で、ファン１７の吸い込み口で吸い込まれ、再び温められて吹き出し口１８から吹き出されるような構成となっている。
【００７０】
温風の温度は、分析用ディスク表面の温度を検出することで、制御される。
【００７１】
分析用ディスク表面の温度検出には、非接触温度センサーであるサーモパイル１９を用い、サーモパイル１９は、検出エリアが分析用ディスクの反応領域（試薬と検体が混合し反応が行われる領域）に係るように配置される。
【００７２】
分析用ディスクの表面、裏面の温度は、裏面にも温風が流れることで温度差が小さくなっており、分析用ディスク内部にある反応領域の温度もサーモパイル１９で検出した温度表面の温度と同等と見なすことができる。
【００７３】
なお、本実施の形態において、ヒータユニットの構成を、面状発熱体＋ヒートシンクとしたが、面状発熱体＋ヒートシンクの代わりに、電熱線を用いても良く、同様に温風を発生させることができる。
【００７４】
また、使用環境温度の上限と制御温度との差が無く、なおかつ、分析用ディスク周辺の部品による内部発熱が大きい場合においては、面状発熱体の代わりに、ペルチェ素子を用いれば、装置内を冷やすことも可能となるので、制御温度に対して過熱状態となって制御できなくなるといった不具合を防ぐことができる。
【００７５】
また、本実施の形態において、吸気面と吹き出し口が垂直方向となるファンを用いたが、図５のように、シロッコファン２０を用いても良い。
【００７６】
シロッコファンは、軸流ファンと比べ静圧が大きく、吸引力に優れているので、温風が流れる流路のスペースが限定される場合に適している。
【００７７】
また、図６、図７のように、吸気方向と排気方向が軸線上にある通常のＤＣファンを用いても良い。
【００７８】
図６、図７ともに高さ方向に大きくなる構成となるが、ファンから吹き付けられる空気は直接ヒートシンクに当たる構成となるので、ヒートシンクの熱を温風に変える効率は大きくなる。
【００７９】
なお、上記ファンの選定については、必要な風量や、配置可能なサイズによって決定すればよい。
（実施の形態２）
図８は、本発明の実施の形態２の分析装置の構成図を示す。本実施例は、上記実施例１の構成と類似しているが、温風吹き出し口をディスク表面側に吹き出す吹き出し口１８１とディスク裏面側に吹き出す吹き出し口１８２に分けた点で異なる。
【００８０】
ヒータユニットから吹き出される温風は、吹き出し口にて、矢印で示すように、ディスク表面に向かって吹き出し、表面を流れる温風と、ディスク裏面に向かって吹き出し、裏面を流れる温風とに分かれる。
【００８１】
実施の形態１と同様に、分析用ディスクの裏面側を通る温風は、トレイ後方の壁に沿って方向を変え、ファン１７の吸い込み口で吸い込まれ、分析用ディスク表面を通る温風についてもファン１７付近で、ファン１７の吸い込み口で吸い込まれ、再び温められてディスク表面側に吹き出す吹き出し口１８１とディスク裏面側から吹き出す吹き出し口１８２から吹き出されるような構成となっている。
【００８２】
分析用ディスクの表面、裏面の温度は、裏面にも温風が流れることで同じ温度となっており、分析用ディスク内部にある反応領域の温度もサーモパイル１９で検出した温度表面の温度と同等と見なすことができる。
（実施の形態３）
図９は、本発明の実施の形態３の分析装置の構成図を示す。本実施例は、上記実施例１の構成と類似しているが、温風吹き出し口を分析用ディスク表面側中心位置に設け、ターンテーブルに表面から分析用ディスク裏側に通じる通気口を設けた点で異なる。
【００８３】
図９において、温風吹き出し口から吹き出す温風は、分析用ディスク表面の中心に向かって吹き付ける構成となっている。
【００８４】
そして、吹き出し口から吹き出す温風の一方は、ターンテーブル内を通り、分析用ディスクの裏面側へ、一方は分析ディスクの表面側へと流れる。
【００８５】
本構成により、分析用ディスクの裏面にも温風が流れることとなり、分析用ディスク表面と裏面で温度差なく、温度制御を行うことができる。
【００８６】
温風が裏面にも流れることにより、分析用ディスク表面側と裏面側に温度差なく、温度制御を行うことが出来る。
【００８７】
また、図１０に示すように、通気口の壁の形状を渦巻きポンプの羽根車のように形成すれば、ディスク裏面方向に円滑に温風が流れることとなる。
【００８８】
本実施の形態においては、ターンテーブルに通気口を設けたが、通気口の代わりに分析用ディスクに図１１に示すような貫通孔１０２を設けても同様の効果が得られる。
【産業上の利用可能性】
【００８９】
このように本発明は、円盤を回転させて、その内部に保持した液体試料を分析する分析装置の温度制御に関わり、医療分析装置、水質分析装置等への利用が有用であり、特に
温度を一定にする必要がある液体を分析する装置に適用できる。
【図面の簡単な説明】
【００９０】
【図１】本発明の実施の形態１における分析装置の構成図
【図２】本発明の実施の形態１における分析装置の外観図
【図３】本発明の実施の形態１におけるヒータユニットの構成図
【図４（ａ）】本発明の実施の形態１におけるトレイの斜視図
【図４（ｂ）】本発明の実施の形態１におけるトレイ周辺の構成図
【図５】本発明の実施の形態１のヒータユニット変形例の構成図
【図６】本発明の実施の形態１のヒータユニット変形例の構成図
【図７】本発明の実施の形態１のヒータユニット変形例の構成図
【図８】本発明の実施の形態２における分析装置の構成図
【図９】本発明の実施の形態３における分析装置の構成図
【図１０（ａ）】本発明の実施の形態３におけるターンテーブルの構成図
【図１０（ｂ）】Ｂ−Ｂ断面を示した断面図
【図１１】本発明の実施の形態３における分析装置変形例の構成図
【図１２】従来の分析用ディスクを用いた分析装置の構成図
【図１３（ａ）】Ａ−Ａ断面を示した断面図
【図１３（ｂ）】従来の分析装置の加熱手段を示した構成図
【符号の説明】
【００９１】
１  分析用ディスク
１０１  流路
１０２  貫通孔
２  光ピックアップ
３  ディテクタ
４  モータ
５  ヒータ
６  恒温ブロック
６０１  分析用容器挿入穴
７  ベース
８  分析用容器
９  回転テーブル
１０  光検出器
１１  トラバースベース
１２  ターンテーブル
１３  レール
１４  分析用ディスク搬送用トレイ
１５  クランパ
１６  ヒートシンク
１７  ファン
１８  吹き出し口
１８１  表面側に吹き出す吹き出し口
１８２  裏面側に吹き出す吹き出し口
１９  サーモパイル
２０  シロッコファン
２１  ＤＣファン
【図１】
2006300802.tif 000003
【図２】
2006300802.tif 000004
【図３】
2006300802.tif 000005
【図４（ａ）】
2006300802.tif 000006
【図４（ｂ）】
2006300802.tif 000007
【図５】
2006300802.tif 000008
【図６】
2006300802.tif 000009
【図７】
2006300802.tif 000010
【図８】
2006300802.tif 000011
【図９】
2006300802.tif 000012
【図１０（ａ）】
2006300802.tif 000013
【図１０（ｂ）】
2006300802.tif 000014
【図１１】
2006300802.tif 000015
【図１２】
2006300802.tif 000016
【図１３（ａ）】
2006300802.tif 000017
【図１３（ｂ）】
2006300802.tif 000018